(57)【特許請求の範囲】
【請求項１】
主バーナと、最大火力が主バーナより小さい副バーナと、主バーナと副バーナへの供給ガス量を火力調節用の操作子の操作に連動して調節するガス量調節手段と、操作子が所定の切換位置を越えて弱火側に操作されたときに、副バーナへのガス供給は継続したまま主バーナへのガス供給を停止して主バーナを消火する主バーナ消火手段とを備えるコンロ用バーナであって、
操作子が切換位置を越えて強火側に操作されたとき、主バーナへのガス供給を再開して、副バーナから主バーナに火移りさせるようにしたものにおいて、
主バーナ消火手段を制御する制御手段を備え、
制御手段は、副バーナへのガス供給及び副バーナの燃焼を継続したまま主バーナ消火手段で主バーナへのガス供給を停止してから所定の待ち時間が経過するまでは、操作子が切換位置を越えて強火側に操作されても主バーナへのガス供給の再開を禁止するように構成され、
主バーナ消火手段で主バーナへのガス供給を停止してから前記待ち時間が経過する前であっても、ガス量調節手段による副バーナへの供給ガス量の調節は禁止されないことを特徴とするコンロ用バーナ。
【発明の詳細な説明】
【技術分野】
【０００１】
本発明は、主バーナと、最大火力が主バーナより小さい副バーナとを備えるコンロ用バーナに関する。
【背景技術】
【０００２】
従来、この種のコンロ用バーナとして、主バーナと副バーナへの供給ガス量を火力調節用の操作子の操作に連動して調節するガス量調節手段と、操作子が所定の切換位置を越えて弱火側に操作されたときに、副バーナへのガス供給は継続したまま主バーナへのガス供給を停止して主バーナを消火する主バーナ消火手段とを備え、操作子が切換位置を越えて強火側に操作されたとき、主バーナへのガス供給を再開して、副バーナから主バーナに火移りさせるようにしたものが知られている（例えば、特許文献１参照）。
【０００３】
ここで、主バーナ消火手段により主バーナへのガス供給を停止しても、主バーナに残留するガスがパージされるまでは、主バーナの炎孔内部で残留ガスによる残火を生ずることがある。そして、残火を生じている状態で主バーナへのガス供給が再開されると、主バーナで逆火が発生してしまう。
【先行技術文献】
【特許文献】
【０００４】
【特許文献１】特開２００９−２５２９号公報
【発明の概要】
【発明が解決しようとする課題】
【０００５】
本発明は、以上の点に鑑み、主バーナへのガス供給再開時の逆火を防止できるようにしたコンロ用バーナを提供することをその課題としている。
【課題を解決するための手段】
【０００６】
上記課題を解決するために、本発明は、主バーナと、最大火力が主バーナより小さい副バーナと、主バーナと副バーナへの供給ガス量を火力調節用の操作子の操作に連動して調節するガス量調節手段と、操作子が所定の切換位置を越えて弱火側に操作されたときに、副バーナへのガス供給は継続したまま主バーナへのガス供給を停止して主バーナを消火する主バーナ消火手段とを備えるコンロ用バーナであって、操作子が切換位置を越えて強火側に操作されたとき、主バーナへのガス供給を再開して、副バーナから主バーナに火移りさせるようにしたものにおいて、主バーナ消火手段を制御する制御手段を備え、制御手段は、副バーナへのガス供給及び副バーナの燃焼を継続したまま主バーナ消火手段で主バーナへのガス供給を停止してから所定の待ち時間が経過するまでは、操作子が切換位置を越えて強火側に操作されても主バーナへのガス供給の再開を禁止するように構成され、主バーナ消火手段で主バーナへのガス供給を停止してから前記待ち時間が経過する前であっても、ガス量調節手段による副バーナへの供給ガス量の調節は禁止されないことを特徴とする。
【０００７】
本発明によれば、主バーナへのガス供給を停止した後にすぐに操作子を切換位置を越えて強火側に操作しても、ガス供給停止から待ち時間が経過するまでは主バーナへのガス供給は再開されない。そして、待ち時間中に主バーナの残留ガスがパージされて残火が消え、主バーナへのガス供給再開時の逆火を防止できる。
【０００８】
ところで、主バーナ消火手段で主バーナへのガス供給を停止してから待ち時間が経過するまでは、操作子を強火側に操作しても主バーナへのガス供給が再開されないため、火力を意図通りに強めることはできない。ここで、主バーナへのガス供給停止から待ち時間が経過する前であっても、ガス量調節手段による副バーナへの供給ガス量の調節は禁止されないようにしておけば、待ち時間経過前に操作子を強火側に操作したときに副バーナの火力が強められ、ユーザの意図を少しでも反映した火力調節が可能となり、有利である。
【図面の簡単な説明】
【０００９】
【図１】本発明の実施形態のコンロ用バーナを示す斜視図。
【図２】図１のＩＩ−ＩＩ線で切断した断面図。
【図３】コントローラが行う電磁弁の制御内容を示すフロー図。
【発明を実施するための形態】
【００１０】
図１、図２に示す本発明の実施形態のコンロ用バーナは、主バーナ１と、主バーナ１の下側に隣接する副バーナ２とを備えている。具体的に説明すれば、コンロ用バーナは、外側の筒体３１と、中間の筒体３２と、内側の筒体３３との内外３重の筒体を有するバーナボディ３と、中間筒体３２に嵌合する内周の環状垂下壁４１と、外周部上面の上環状壁４２と、外側筒体３１の上端部に着座する外周部下面の下環状壁４３とを有するバーナヘッド４と、内側筒体３３に嵌合する内周の環状垂下壁５１を有し、外周部下面で上環状壁４２の上端に着座するバーナキャップ５とを備えている。そして、中間筒体３２、内側筒体３３、バーナヘッド４及びバーナキャップ５で主バーナ１を構成し、外側筒体３１、中間筒体３２及びバーナヘッド４で副バーナ２を構成している。
【００１１】
また、主バーナ１の内部空間となる中間筒体３２と内側筒体３３との間の空間に連通する混合管（主バーナ混合管）１１を設けると共に、副バーナ２の内部空間となる外側筒体３１と中間筒体３２との間の空間に連通する混合管（副バーナ混合管）２１を設けている。また、バーナヘッド４の上環状壁４２に、主バーナ混合管１１からの混合気（燃料ガスと一次空気との混合ガス）が噴出する主バーナ１用の炎孔（主バーナ炎孔）１２を周方向の間隔を存して複数形成し、更に、バーナヘッド４の下環状壁４３に、副バーナ混合管２１からの混合気が噴出する副バーナ２用の炎孔（副バーナ炎孔）２２を周方向の間隔を存して複数形成している。
【００１２】
尚、副バーナ炎孔２２の合計開口面積は主バーナ炎孔１２の合計開口面積より小さく、最大火力は副バーナ２の方が主バーナ１より小さい。また、バーナヘッド４の外周面の周囲１箇所には、図示省略した点火電極に対向するターゲット部４４が突設されている。
【００１３】
コンロ用バーナに燃料ガスを供給するガス供給路６には、コンロ前面の図示省略した点消火用操作子の点火操作と消火操作で開閉される元弁６１と、ガス量調節手段たる電動式の流量調節弁６２とが介設されている。更に、流量調節弁６２の下流側でガス供給路６を主バーナ１用の供給路６ａと副バーナ２用の供給路６ｂとに分岐して、主バーナ１用の供給路６ａに、主バーナ消火手段たる電磁弁６３を介設している。
【００１４】
流量調節弁６２と電磁弁６３は、コンロ前面に設けた火力調節用の操作子たる調節摘み７の操作により制御手段たるコントローラ８を介して制御される。調節摘み７は、最小火力の弱火位置Ａと最大火力の強火位置Ｂとの間で回動自在であり、調節摘み７の回動角度θを示す信号がコントローラ８に入力される。そして、コントローラ７は、ガス供給路６に流れるガス量が調節摘み７の回動角度θに応じて変化するように流量調節弁６２を制御する。コントローラ７は、更に、調節摘み７が所定の切換位置Ｃを越えて弱火側に回動操作されたとき、電磁弁６３を閉弁させ、調節摘み７が所定の切換位置Ｃを越えて強火側に回動操作されたとき、電磁弁６３を開弁させる制御を行う。電磁弁６３を閉弁させると、副バーナ２へのガス供給は継続したまま主バーナ１へのガス供給が停止されて主バーナ１が消火され、また、電磁弁６３を開弁させると、主バーナ１へのガス供給が再開されて、副バーナ２から主バーナ１に火移りする。
【００１５】
ここで、電磁弁６３の閉弁により主バーナ１へのガス供給を停止しても、主バーナ１に残留するガスがパージされるまでは、主バーナ炎孔１２の内部で残留ガスによる残火を生ずることがある。そして、残火を生じている状態で電磁弁６３の開弁により主バーナ１へのガス供給が再開されると、主バーナ１で逆火が発生してしまう。そこで、本実施形態では、主バーナ１へのガス供給再開時の逆火を防止するため、コントローラ８により電磁弁６３を図３に示す如く制御している。以下、この制御について詳述する。尚、図３において、θＡは調節摘み７の弱火位置Ａにおける回動角度、θＢは調節摘み７の強火位置Ｂにおける回動角度、θＣは調節摘み７の切換位置Ｃにおける回動角度である。
【００１６】
電磁弁６３の制御に際しては、先ず、ＳＴＥＰ１で調節摘み７が切換位置Ｃを越えて弱火側に回動操作されたか否か、即ち、調節摘み７の回動角度θがθＡからθＣまでの範囲に入ったか否かを判別し、θＡ≦θ＜θＣであれば、ＳＴＥＰ２に進んで電磁弁６３を閉弁させる。
【００１７】
次に、ＳＴＥＰ３に進み、電磁弁６３の閉弁で主バーナ１へのガス供給を停止してから所定の待ち時間（例えば、４秒）が経過したか否かを判別する。そして、待ち時間が経過したとき、ＳＴＥＰ４に進んで、調節摘み７が切換位置Ｃを越えて強火側に回動操作されたか否か、即ち、調節摘み７の回動角度θがθＣからθＢまでの範囲に入ったか否かを判別し、θＣ＜θ≦θＢであれば、ＳＴＥＰ５で電磁弁６３を開弁させて、ＳＴＥＰ１に戻る。
【００１８】
上記制御によれば、主バーナ１へのガス供給を停止してから待ち時間が経過するまでは、調節摘み７が切換位置Ｃを越えて強火側に操作されても電磁弁６３が開弁されず、主バーナ１へのガス供給の再開が禁止されることになる。そのため、待ち時間中に主バーナ１の残留ガスがパージされて残火が消え、主バーナ１へのガス供給再開時の逆火を防止できる。
【００１９】
尚、コントローラ８は、調節摘み７の操作に応じた流量調節弁６２の制御を常時行っており、主バーナ１へのガス供給を停止してから待ち時間が経過する前であっても、流量調節弁６２による副バーナ２への供給ガス量の調節は禁止されない。従って、待ち時間経過前に調節摘み７を強火側に操作したときに副バーナ２の火力が強められ、ユーザの意図を少しでも反映した火力調節が可能となり、有利である。
【００２０】
以上、本発明の実施形態について図面を参照して説明したが、本発明はこれに限定されない。例えば、上記実施形態では、調節摘み７の切換位置Ｃを単一の位置に設定しているが、切換位置として第１切換位置とそれより強火側に若干変位した第２切換位置とを設定し、調節摘み７を第１切換位置を越えて弱火側に操作したとき電磁弁６３を閉弁させ、調節摘み７を第２切換位置を越えて強火側に操作したとき電磁弁６３を開弁させるようにしてもよい。更に、上記実施形態では、火力調節用の操作子を調節摘み７で構成しているが、レバー等の調節摘み以外のもので火力調節用の操作子を構成することも可能である。
【００２１】
また、上記実施形態では、ガス量調節手段をコントローラ８で制御される電動式の流量調節弁６２で構成しているが、火力調節用の操作子に機械的に連動する手動式の流量調節弁でガス量調節手段を構成してもよい。更に、上記実施形態では、主バーナ１用供給路６ａと副バーナ２用供給路６ｂとの分岐部上流のガス供給路６に流量調節弁６２を介設しているが、主バーナ１用供給路６ａと副バーナ２用供給路６ｂとに夫々流量調節弁を介設することも可能である。この場合、主バーナ１用供給路６ａに介設する流量調節弁を全閉可能なものにし、この流量調節弁を主バーナ消火手段に兼用してもよい。
【００２２】
また、上記実施形態では、主バーナ１と副バーナ２とを上下に隣接配置しているが、副バーナを径方向中央部に配置し、この副バーナを囲うように環状の主バーナを配置することも可能である。この場合、主バーナに径方向内方の副バーナ側を向く主バーナ炎孔を形成して、副バーナから主バーナに火移りするようにし、或いは、主バーナに径方向外方を向く主バーナ炎孔を形成すると共に、主バーナの上面に径方向内方から外方にのびるスリット状の火移り炎孔を形成し、副バーナから火移り炎孔を介して主バーナに火移りするようにすればよい。
【符号の説明】
【００２３】
１…主バーナ、２…副バーナ、６…ガス供給路、６２…流量調節弁（ガス量調節手段）、６３…電磁弁（主バーナ消火手段）、７…調節摘み（火力調節用操作子）、８…コントローラ（制御手段）。
【図１】
0005718855.tif 000002
【図２】
0005718855.tif 000003
【図３】
0005718855.tif 000004